【手続補正書】
【提出日】平成19年2月1日(2007.2.1)
【手続補正１】
【補正対象書類名】明細書
【補正対象項目名】特許請求の範囲
【補正方法】変更
【補正の内容】
【特許請求の範囲】
【請求項１】  解剖学的構造体への移植に適するデバイスであって、
第１の末端部を有する第１の脚部を画定する第１組の複数のストランドと、
第２の末端部を有する第２の脚部を画定する第２組の複数のストランドと、
遠位端と基部とを有する共通ボディと
を備え、
前記共通ボディは、少なくとも第１組と第２組の複数のストランドから形成され、前記共通ボディの基部は、両脚部の末端部に隣接し、且つ前記第１組と第２組の内の一方の組からの少なくとも一つのストランドの両端が前記共通ボディの遠位端に近接して位置することを特徴とするデバイス。
【請求項２】  前記第１組と第２組の複数のストランドは、ニチノールよりなる、請求項１に記載のデバイス。
【請求項３】  前記第１組と第２組の複数のストランドは、ＦｅＰｔ、ＦｅＰｄ、又はＦｅＮｉＣｏＴｉよりなる、請求項１に記載のデバイス。
【請求項４】  前記第1組と第２組の複数のストランドは、ＦｅＮｉＣ、ＦｅＭｎＳｉ又はＦｅＭｎＳｉＣｒＮｉよりなる、請求項１に記載のデバイス。
【請求項５】  前記第１組と第２組の複数のストランドの各々は、約０．１５２４ ｍｍ（約０．００６インチ）から約０．３５５６ ｍｍ（約０．０１４インチ）のサイズ範囲の直径を有する、請求項１に記載のデバイス。
【請求項６】  前記第１組の複数のストランドは、少なくとも６本のストランドを含む、請求項１に記載のデバイス。
【請求項７】  前記脚部と前記共通ボディの両方は、実質的に均一な直径を有するチューブ形状である、請求項１に記載のデバイス。
【請求項８】  前記脚部の内の少なくとも一つが手編みである、請求項１に記載のデバイス。
【請求項９】  前記脚部の内の少なくとも一つが機械編みである、請求項１に記載のデバイス。
【請求項１０】  更に、少なくとも前記共通ボディに取り付けられる接木材料を備える、請求項１に記載のデバイス。
【請求項１１】  前記接木材料は、編まれたダクロンよりなる、請求項１０に記載のデバイス。
【請求項１２】  前記接木材料は、ポリウレタンよりなる、請求項１０に記載のデバイス。
【請求項１３】  前記接木材料はＰＴＦＥよりなる、請求項１０に記載のデバイス。
【請求項１４】  前記第１組の複数のストランドは、編まれるとともに第１の複数の角度を形成するように互いに交差され、前記第１の複数の角度の内の少なくとも一つが鈍角であり、
前記第２組の複数のストランドは、編まれるとともに第２の複数の角度を形成するように互いに交差され、前記第２の複数の角度の内の少なくとも一つが鈍角である
ことを特徴とする請求項１に記載のデバイス。
【請求項１５】  少なくとも前記第１組の複数のストランドが生物分解可能フィラメントよりなる、請求項１に記載のデバイス。
【請求項１６】  第３の末端部を有する第３の脚部を画定する第３組の複数のストランドをさらに備え、
前記共通ボディは、少なくとも前記第１組と第２組と第３組の複数のストランドから形成され、前記共通ボディの基部が前記三つの脚部の各々の末端部に隣接することを特徴とする請求項１に記載のデバイス。
【請求項１７】  前記第１組と第２組と第３組の各々中の前記ストランドがニチノールよりなる、請求項１６に記載のデバイス。
【請求項１８】  前記第１組の複数のストランドが少なくとも５本のストランドを含む、請求項１６に記載のデバイス。
【請求項１９】  前記脚部の各々と前記共通ボディは、実質的に均一な直径を有するチューブ状形状である、請求項１６に記載のデバイス。
【請求項２０】  前記脚部の少なくとも一つは手編みである、請求項１６に記載のデバイス。
【請求項２１】  前記脚部の少なくとも一つは機械編みである、請求項１６に記載のデバイス。
【請求項２２】  更に、少なくとも前記共通ボディに取り付けられる接木材料を備える、請求項１６に記載のデバイス。
【請求項２３】  前記接木材料は、編まれたダクロンよりなる、請求項２２に記載のデバイス。
【請求項２４】  前記接木材料は、ポリウレタンよりなる、請求項２２に記載のデバイス。
【請求項２５】  第１の軸と第１の端を有する第１の脚部と、
第２の軸と第２の端を有する第２の脚部と、
ワイヤの各々の少なくとも一端から形成される共通ボディと
を備えるステントであって、
前記第１の脚部は、第１のセグメントと第２のセグメントを有する第１のワイヤよりなり、これらのセグメントは、第１の脚部の第１の端に近接して位置する第１のワイヤの曲がりによって分離され、前記第１のセグメントは、前記第１の脚部の第１の端から離れるように前記第１の軸回りに第１の方向へ螺旋状に延出し、前記第２のセグメントは、前記第１の脚部の前記第１の端から離れるように前記第１の軸回りに第２の方向へ螺旋状に延出し、前記第１と第２のセグメントが第１の複数の位置において互いに交差し、
前記第２の脚部は、第１のセグメントと第２のセグメントを有する第２のワイヤよりなり、これらのセグメントは、第２の脚部の第２の端に近接して位置する第２のワイヤの曲がりによって分離され、前記第２のワイヤの前記第１のセグメントは、前記第２の脚部の第２の端から離れるように前記第２の軸回りに第１の方向へ螺旋状に延出し、前記第２のワイヤの前記第２のセグメントは、前記第２の脚部の前記第２の端から離れるように前記第２の軸回りに第２の方向へ螺旋状に延出し、前記第２のワイヤの前記第１と第２のセグメントが第２の複数の位置において互いに交差することを特徴とするステント。
【請求項２６】  前記第１のワイヤの前記第１のセグメントは、前記第１の複数の位置の内の少なくとも一つの位置で前記第１のワイヤの前記第２のセグメントよりも前記第１の軸から更に遠くに位置される、請求項２５に記載のステント。
【請求項２７】  前記第１のワイヤの前記第１のセグメントは、前記第１の複数の位置の各位置で前記第１のワイヤの前記第２のセグメントよりも前記第１の軸から更に遠くに位置される、請求項２５に記載のステント。
【請求項２８】  前記第１と第２のワイヤがニチノールよりなる、請求項２５に記載のステント。
【請求項２９】  解剖学的構造体への移植に適するデバイスを生成するための方法であって、前記デバイスは、第１の脚部、第２の脚部及び共通ボディを有し、各脚部は、端と末端部とを有し、前記共通ボディは、基部と遠位端を有し、
前記方法は、
第１組の複数のストランド中の前記ストランドを曲げて前記ストランドに第１の曲げ部を生成することを含み、前記第１の曲げ部は、前記第１の脚部の前記端を画定するように配置され、前記第１組の複数のストランドの各々が２つの端を有し、
第２組の複数のストランド中の前記ストランドを曲げて前記ストランドに第２の曲げ部を生成することを含み、前記第２の曲げ部は、前記第２の脚部の前記端を画定するように配置され、前記第２組の複数のストランドの各々が２つの端を有し、
前記第１組の複数のストランドの端を編んで前記第１の脚部を生成することを含み、
前記第２組の複数のストランドの端を編んで前記第２の脚部を生成することを含み、
両方の第１組と第２組のストランドの端を編んで前記共通ボディと前記デバイスとを生成することを含み、
前記共通ボディの基部は、両脚部の前記末端部に隣接することを特徴とする方法。
【請求項３０】  前記第１の曲げ部がベンドである、請求項２９に記載の方法。
【請求項３１】  前記第１の曲げ部がループである、請求項２９に記載の方法。
【請求項３２】  前記第１組と第２組の複数のストランドはニチノールよりなる、請求項２９に記載の方法。
【請求項３３】  前記第１組と第２組の複数のストランドの各々は、約０．００６インチから約０．０１４インチのサイズ範囲の直径を有する、請求項２９に記載の方法。
【請求項３４】  前記第１組の複数のストランドの端を編むことは手作業で行なわれる、請求項２９に記載の方法。
【請求項３５】  前記第１組の複数のストランドの端を編むことは機械で行なわれる、請求項２９に記載の方法。